(57)【要約】【課題】プレキャストコンクリート梁と柱の間に充填する目地モルタルが漏入しないようにするためのジョイントシース管において、不使用時に誤動作しない構造のジョイントシース管を提供する。【解決手段】シース管の外周に有底の所定空間を持たせて形成した二重筒形状の外筒と、外筒とシース管とで得られた外側筒の空間内に挿着すると共に外筒が形成した空間に連通する有底の所定空間を形成する二重筒形状の内筒とからなるジョイントシース管を用いて柱梁を接合するにあたり、柱に当接する内筒の当接面に可破性シートを貼着しておき、梁の架設後、内筒が形成する空間に膨張材を注入することにより外筒が形成する外側筒の空間にこの膨張材が流入することにより内筒を柱方向に押し出して当接させ、柱梁間に目地モルタルを施工することである。【選択図】　図１
2004092293.tif 000002
【特許請求の範囲】
【請求項１】
シース管の外周に有底の所定空間を持たせて形成した二重筒形状の外筒と、前記外筒とシース管とで得られた外側筒の空間内に挿着すると共に外筒が形成した空間に連通する有底の所定空間を形成する二重筒形状の内筒とからなるジョイントシース管を用いて柱梁を接合するにあたり、
柱に当接する前記内筒の当接面に可破性シートを貼着しておき、
梁の架設後、前記内筒が形成する空間に膨張材を注入することにより前記外筒が形成する外側筒の空間に該膨張材が流入することにより前記内筒を柱方向に押し出して当接させ、
柱梁間に目地モルタルを施工することを特徴とするプレキャストコンクリート梁と柱の目地施工方法。
【請求項２】
プレキャストコンクリート梁に配設したシース管に取付けられ、プレキャストコンクリート梁と柱の空隙に注入する目地モルタルの侵入を防止するジョイントシース管であって、
前記ジョイントシース管は、シース管の外周に有底の所定空間を持たせて形成した二重筒形状の外筒と、該外筒とシース管とで得られた空間内に挿着すると共に前記外筒が形成した外側筒の空間に連通する有底の所定空間を形成する二重筒形状の内筒と、前記内筒の開口面に貼着した可破性シートとからなり、
前記内筒の空間に膨張材を注入することにより、前記外筒が形成する空間に該緊張材が流入して前記内筒を押し出して前記可破性シートを貼着した開口面を前記柱に当接させることを特徴とするジョイントシース管。
【発明の詳細な説明】
【０００１】
【発明の属する技術分野】
本発明は、プレキャストコンクリート梁と柱の目地施工方法並びにジョイントシース管に関するものであり、詳しくは、プレキャストコンクリート梁と柱の接合部分のシース管に目地モルタルが侵入しないようにするために、膨張材を用いてシース管の繋ぎ目を密封状態にするプレキャストコンクリート梁と柱の目地施工方法並びにジョイントシース管に関する。
【０００２】
【従来の技術】
従来技術におけるプレキャストコンクリート梁と柱の目地の施工は、図３及び図４に示すように、柱１１１に対向するプレキャストコンクリート梁１１２内に取付けてあるジョイントシース管１１３により行われる。ジョイントシース管１１３はシース管１１７に連設して形成されているもので、着脱自在な内筒１１４及び外筒１１５から構成されており、内筒１１４は外筒１１５内に内装されているスプリング１１６で付勢された構成になっている。
この内筒１１４の先端の当接面には可破性の薄膜遮蔽シート１１８が貼着してあり、充填される目地モルタルがシース管１１７、１１９内に漏入しないように開口を遮蔽している。
【０００３】
このような構成において、図４に示すように、内筒１１４の係止が開放され、スプリング１１６に付勢され内筒１１４が対向面まで突出して互いのシース管１１７、１１９を閉塞する。そして、目地モルタル１２０の施工が行われる。
【０００４】
【特許文献１】
特開２００１−１２３５２６号公報　（第３頁、図１）
【０００５】
【発明が解決しようとする課題】
しかしながら、従来技術で説明したジョイントシース管は、内筒を押し出すのにスプリングが必要であり、しかも、不使用時にはスプリングを縮めた状態にしておく必要があり、組立てが結構面倒であり、且つ不用意に係止部材が外れスプリングにより内筒が飛び出してしまうという問題がある。
【０００６】
従って、プレキャストコンクリート梁に配設されるシース管に取付けられるジョイントシース管であって、構造が簡単でしかも、不使用時には動作しないような構造のジョイントシース管及び目地モルタル施工方法に解決しなければならない課題を有する。
【０００７】
【課題を解決するための手段】
上記課題を解決するため、本発明に係るプレキャストコンクリート梁と柱の目地施工方法並びにジョイントシース管は次のような構成にすることである。
【０００８】
（１）プレキャストコンクリート梁と柱の目地施工方法は、シース管の外周に有底の所定空間を持たせて形成した二重筒形状の外筒と、前記外筒とシース管とで得られた外側筒の空間内に挿着すると共に外筒が形成した空間に連通する有底の所定空間を形成する二重筒形状の内筒とからなるジョイントシース管を用いて柱梁を接合するにあたり、柱に当接する前記内筒の当接面に可破性シートを貼着しておき、梁の架設後、前記内筒が形成する空間に膨張材を注入することにより前記外筒が形成する外側筒の空間に該膨張材が流入することにより前記内筒を柱方向に押し出して当接させ、柱梁間に目地モルタルを施工することである。
【０００９】
（２）ジョイントシース管は、プレキャストコンクリート梁に配設したシース管に取付けられ、プレキャストコンクリート梁と柱の空隙に注入する目地モルタルの侵入を防止するジョイントシース管であって、前記ジョイントシース管は、シース管の外周に有底の所定空間を持たせて形成した二重筒形状の外筒と、該外筒とシース管とで得られた空間内に挿着すると共に前記外筒が形成した外側筒の空間に連通する有底の所定空間を形成する二重筒形状の内筒と、前記内筒の開口面に貼着した可破性シートとからなり、前記内筒の空間に膨張材を注入することにより、前記外筒が形成する空間に該緊張材が流入して前記内筒を押し出して前記可破性シートを貼着した開口面を前記柱に当接させることである。
【００１０】
このように、膨張材を注入して動作できるようにしたことにより、膨張材を注入しないと動作しないから不使用時における不用意な動作を防止することができ、極めて使い勝手のよいジョイントシース管を提供することができる。
【００１１】
【発明の実施の形態】
次に、本発明に係るプレキャストコンクリート梁と柱の目地施工方法並びにジョイントシース管の実施形態について、図面を参照して以下説明する。
【００１２】
プレキャストコンクリート梁と柱の目地施工方法を実現するためのジョイントシース管１０は、図１及び図２に示すように、プレキャストコンクリート梁１１に予め取付けてあるものであり、シース管１２の外周に有底の所定空間１３を持たせて形成した二重筒形状の外筒１４と、この外筒１４とシース管１２とで得られた空間１３内に挿着すると共に外筒１４が形成した外側筒１５の空間１３に連通する有底の所定空間１６を形成する二重筒形状の内筒１７と、内筒１７の開口面１８に貼着した可破性シート１９とからなる。
【００１３】
外筒１４は、内側筒２０がシース管１２であり、その外側に配設した外側筒１５との間に内筒１７を嵌合する空間１３を有する。この空間１３が内筒１７から注入された膨張材を取込み、空間１３が飽和状態になると内筒１７を外方向に押し出して空間１３の広さを広くするように作用する。
【００１４】
内筒１７は、内側筒２１がシース管１２を嵌合する大きさに形成され、外側筒２２が外筒１４の外側筒１５の内面に接合する構成になっており、外側筒２２の一部に膨張材を注入する膨張材注入孔２３を備えた構成になっている。
【００１５】
このような構成からなるジョイントシース管１０は、不使用時には、外筒１４に内筒１７を単に差し込んでおくだけでよい。そして使用時、図２に示すように、ジョイントシース管１０を用いて柱２４梁１１を接合するにあたり、柱２４に当接する内筒１７の当接面（開口面１８）に可破性シート１９を貼着しておき、梁１１の架設後、内筒１７が形成する空間１６に膨張材注入孔２３から膨張材２５を注入することにより外筒１４が形成する外側筒１５の空間１３に膨張材２５が流入することにより内筒１７を柱２４方向に押し出して当接させて、シース管１２、２５同士を密封状態にする。そして、柱２４梁１１間に目地モルタル２６を施工することにより、目地モルタルの施工は完了する。
【００１６】
【発明の効果】
以上説明したように、本発明のジョイントシース管は、使用時に膨張材を注入することにより内筒を引き出して柱に当接させることでシース管は密封状態にすることができるため、目地モルタルがシース管に漏入することを防止できるばかりでなく、不使用時における誤動作を無くすことができるため、使い勝手を良くすることができるという効果がある。
【図面の簡単な説明】
【図１】本発明に係るジョイントシース管の不使用時における断面図である。
【図２】本発明に係るジョイントシース管の使用時における断面図である。
【図３】従来技術におけるジョイントシース管の不使用時における断面図である。
【図４】従来技術におけるジョイントシース管の使用時における断面図である。
【符号の説明】
１０；ジョイントシース管、１１；梁、１２；シース管、１３；空間、１４；外筒、１５；外側筒、１６；空間、１７；内筒、１８；開口面、１９；可破性シート、２０；内側筒（シース管）、２１；内側筒、２２；外側筒、２３；膨張材注入孔、２４；柱、２５；膨張材、２６；目地モルタル。
【図１】
2004092293.tif 000003
【図２】
2004092293.tif 000004
【図３】
2004092293.tif 000005
【図４】
2004092293.tif 000006